(57)【特許請求の範囲】
【請求項１】
人工飼料を入れた飼育トレイを複数段積み重ね、上部に位置する飼育トレイを下部に、下部に位置する飼育トレイを上部に配置させるトレイ積み替え工程を、飼育期間中に行うことで、上部に位置する飼育トレイで飼育した蚕は前記トレイ積み替え工程後には下部に位置する飼育トレイで飼育し、下部に位置する飼育トレイで飼育した蚕は前記トレイ積み替え工程後には上部に位置する飼育トレイで飼育する飼育方法において、前記飼育トレイは、底面と内周側板とにより凹部を形成し、前記内周側板には、通気性を高めるための開口部を多数設け、外周側板を縁部により前記内周側板と連接し、前記凹部に弾性材料からなる網を用いた飼育ネットを敷き、前記飼育ネット上で蚕の飼育を行うことを特徴とする蚕の飼育方法。
【請求項２】
人工飼料を入れた飼育トレイを複数段積み重ね、前記人工飼料を新しい人工飼料に交換する際に、上部に位置する飼育トレイを下部に、下部に位置する飼育トレイを上部に配置させるトレイ積み替えを行うことで、上部に位置する飼育トレイで飼育した蚕は前記トレイ積み替え工程後には下部に位置する飼育トレイで飼育し、下部に位置する飼育トレイで飼育した蚕は前記トレイ積み替え工程後には上部に位置する飼育トレイで飼育する飼育方法において、前記飼育トレイは、底面と内周側板とにより凹部を形成し、前記内周側板には、通気性を高めるための開口部を多数設け、外周側板を縁部により前記内周側板と連接し、前記凹部に弾性材料からなる網を用いた飼育ネットを敷き、前記飼育ネット上で蚕の飼育を行うことを特徴とする蚕の飼育方法。
【請求項３】
人工飼料を入れた飼育トレイを複数段積み重ねて、各飼育トレイ内で蚕を飼育する飼育方法において、複数段積み重ねた飼育トレイの間隔を、蚕の発育に合わせて段階的に広げることを特徴とする請求項１又は請求項２に記載の蚕の飼育方法。
【請求項４】
掃き立てから４齢起蚕になる前までの１〜３齢飼育工程と、４齢起蚕から５齢起蚕になる前までの４齢飼育工程と、５齢起蚕から上蔟を開始するまでの５齢飼育工程と、前記１〜３齢飼育工程の終わりか前記４齢飼育工程の初めに人工飼料の交換を行う第１の給餌工程と、前記４齢飼育工程の終わりか前記５齢飼育工程の初めに人工飼料の交換を行う第２の給餌工程とを有し、人工飼料を入れた飼育トレイを複数段積み重ね、前記第１の給餌工程及び前記第２の給餌工程では、上部に位置する飼育トレイを下部に、下部に位置する飼育トレイを上部に配置させるトレイ積み替えを行うとともに、前記第２の給餌工程では、飼育トレイの間隔を変更し、前記５齢飼育工程における飼育トレイの間隔を前記４齢飼育工程における飼育トレイの間隔よりも広くした飼育方法において、前記飼育トレイは、底面と内周側板とにより凹部を形成し、前記内周側板には、通気性を高めるための開口部を多数設け、外周側板を縁部により前記内周側板と連接し、前記凹部に弾性材料からなる網を用いた飼育ネットを敷き、前記飼育ネット上で蚕の飼育を行うことを特徴とする蚕の飼育方法。
【請求項５】
前記１〜３齢飼育工程において、飼育トレイの間隔を、掃き立て時の間隔よりも広く、４齢飼育工程時の飼育トレイ間隔以下に変更する飼育トレイの間隔変更工程を設けたことを特徴とする請求項４記載の蚕の飼育方法。
【請求項６】
前記飼育トレイの間隔変更工程を行う時期を、室の湿度又は人工飼料の湿り度合いを測定し、その測定結果により変更することを特徴とする請求項５記載の蚕の飼育方法。
【請求項７】
掃き立てから４齢起蚕になる前までの１〜３齢飼育工程と、４齢起蚕から５齢起蚕になる前までの４齢飼育工程と、５齢起蚕から上蔟を開始するまでの５齢飼育工程と、前記１〜３齢飼育工程の終わりか前記４齢飼育工程の初めに人工飼料の交換を行う第１の給餌工程と、前記４齢飼育工程の終わりか前記５齢飼育工程の初めに人工飼料の交換を行う第２の給餌工程とを有し、人工飼料を入れた飼育トレイを複数段積み重ね、前記１〜３齢飼育工程中に、人工飼料の交換を行う給餌工程を設け、それぞれの給餌工程では、上部に位置する飼育トレイを下部に、下部に位置する飼育トレイを上部に配置させるトレイ積み替えを行い、前記１〜３齢飼育工程中の前記給餌工程の前段階と後段階、前記４齢飼育工程中、及び前記５齢飼育工程中に、上部に位置する飼育トレイを下部に、下部に位置する飼育トレイを上部に配置させるトレイ積み替え工程をさらに設けた飼育方法において、前記飼育トレイは、底面と内周側板とにより凹部を形成し、前記内周側板には、通気性を高めるための開口部を多数設け、外周側板を縁部により前記内周側板と連接し、前記凹部に弾性材料からなる網を用いた飼育ネットを敷き、前記飼育ネット上で蚕の飼育を行うことを特徴とする蚕の飼育方法。
【請求項８】
最上段には、蚕を飼育しないトレイ又はふた体を配置することを特徴とする請求項１から請求項７のいずれかに記載の蚕の飼育方法。
【請求項９】
最初に飼育トレイを積み重ねる際、最上段及び最下段には蚕を飼育しない飼育トレイ又はふた体を配置し、前記飼育トレイを積み替える際には、最上段の飼育トレイ又はふた体から順に、別の台車に載せ替えることにより行うことを特徴とする請求項８記載の蚕の飼育方法。
【請求項１０】
請求項１から請求項９のいずれかに記載した蚕の飼育方法において、上下方向を開口とした繭形成室を多数併設した上蔟装置を、上蔟開始予定時に各飼育トレイ上に配設することを特徴とする蚕の飼育方法。
【請求項１１】
請求項１から請求項９のいずれかに記載した蚕の飼育方法において、繭形成室を多数併設した上蔟装置を各飼育トレイ上に所定期間配設する第１の上蔟工程と、前記第１の上蔟工程の後、前記上蔟装置を各飼育トレイ上から取りはずして営繭するまで上蔟を継続する第２の上蔟工程とを有することを特徴とする蚕の飼育方法。
【請求項１２】
請求項１から請求項９のいずれかに記載した蚕の飼育方法において、上下方向を開口とした繭形成室を多数併設した蔟器と、前記蔟器を飼育トレイ内底面から所定高さに配設するアングルとより構成した上蔟装置を用いることを特徴とする蚕の飼育方法。
【請求項１３】
前記上蔟装置に、前記蔟器の上方の開口面を覆う封止材を設けたことを特徴とする請求項１２記載の蚕の飼育方法。
【発明の詳細な説明】
【０００１】
【産業上の利用分野】
本発明は、人工飼料を用いた蚕の飼育方法や飼育装置あるいは生産設備に関し、特に無菌飼育に関するものである。
【０００２】
【従来の技術】
従来、人工飼料を用いた蚕の飼育方法において、いわゆる下方給餌を行うために網を飼料上に置いて蚕の飼育を行う方法が知られている（例えば特開昭４９−１１７２６５号公報）。
また、上記のように網を人工飼料上に置いて下方給餌を行う場合において、網を上げて下方の飼育トレイの古い餌と新しい餌とに交換する方法、あるいは古い餌のついた飼育トレイと新しい餌のついた飼育トレイとを差し替える方法により、除沙と給餌を一度に行えることが知られている（例えば特公昭５４−８５９１号公報）。
また、蚕の飼育の工場化を実現するために、蚕の全飼育期間をほぼ等しい期間に数分割し、これら分割された数に等しい数の飼育室で、等分された期間ずつ、順次経過して飼育することが知られている（例えば特公昭５７−９７７１号公報）。
【０００３】
【発明が解決しようとする課題】
しかしながら、蚕の工業生産化に適した飼育方法やそのための設備、あるいは装置については、未だ十分とはいえない。
我国の蚕の生産は、昭和４年当時、約４０万トンの生産量があり、当時の全輸出総額の４５％を繭糸が占めていた。
しかし、昭和５０年には約９万トン、昭和６０年には約５万トン、さらに平成３年には約２万トンにまで、蚕の生産量は減少している。これは中国をはじめとする諸外国からの安い生糸や絹製品が大量に輸入されていることによるものであるが、我国の蚕の生産が未だ昔ながらの飼育方法によるところが大きく、人手のかからない、かつ年間を通じた大量生産可能な飼育方法が、十分に実用化されていないことも大きな原因である。
一方、人工飼料についての研究は進んでおり、現在人工飼料だけでの蚕の飼育も可能になっている。
そこで本発明は、この人工飼料のメリットを生かして、人手をかけずに年間を通じた大量生産を行いうる飼育方法や飼育装置、あるいは生産設備を提供することを目的とし、特に、無菌室での蚕の飼育に適した飼育方法などを提供することを目的とする。さらに詳細には、以下の点を目的とする。
まず、本発明は、可能な限り省スペースで大量の蚕の飼育を可能にすることを一つの目的とする。
また本発明は、蚕の発育の差異を少なくし、均一な蚕の成長を促すことを一つの目的とする。
また本発明は、蚕の飼育に必要な作業の簡略化を図ることを一つの目的とする。
また本発明は、蚕の成長に適した環境を作ることにより、蚕の発育を促すことを一つの目的とする。
また本発明は、上蔟作業を容易に行うとともに良質の繭形成を行わせることを一つの目的とする。
また本発明は、掃き立て時期の異なる蚕の連続飼育を行うことを一つの目的とする。
また本発明は、雑菌による汚染を可能な限り防止することを一つの目的とする。
また本発明は、飼育室の消毒や除菌を確実に行うことを一つの目的とする。  また本発明は、年間を通じた連続的な蚕の飼育が行えることを一つの目的とする。
【０００４】
【課題を解決するための手段】
本発明の第１の手段は、前記目的を達成するべく、人工飼料を入れた飼育トレイを複数段積み重ねて、各飼育トレイ内で蚕を飼育する飼育方法において、上部に位置する飼育トレイを下部に、下部に位置する飼育トレイを上部に配置させるトレイ積み替え工程を、飼育期間中に行うことを特徴とする。
【０００５】
また本発明の第２の手段は、人工飼料を入れた飼育トレイを複数段積み重ねて、各飼育トレイ内で蚕を飼育する飼育方法において、前記人工飼料を新しい人工飼料に交換する際に、上部に位置する飼育トレイを下部に、下部に位置する飼育トレイを上部に配置させるトレイ積み替えを行うことを特徴とする。
【０００６】
また本発明の第３の手段は、人工飼料を入れた飼育トレイを複数段積み重ねて、各飼育トレイ内で蚕を飼育する飼育方法において、複数段積み重ねた飼育トレイの間隔を、蚕の発育に合わせて段階的に広げることを特徴とする。
【０００７】
また本発明の第４の手段は、掃き立てから４齢起蚕になる前までの１〜３齢飼育工程と、４齢起蚕から５齢起蚕になる前までの４齢飼育工程と、５齢起蚕から上蔟を開始するまでの５齢飼育工程と、前記１〜３齢飼育工程の終わりか前記４齢飼育工程の初めに人工飼料の交換を行う第１の給餌工程と、前記４齢飼育工程の終わりか前記５齢飼育工程の初めに人工飼料の交換を行う第２の給餌工程とを有し、人工飼料を入れた飼育トレイを複数段積み重ねて、各飼育トレイ内で蚕を飼育する飼育方法において、前記第１の給餌工程及び前記第２の給餌工程では、上部に位置する飼育トレイを下部に、下部に位置する飼育トレイを上部に配置させるトレイ積み替えを行うとともに、前記第２の給餌工程では、飼育トレイの間隔を変更し、前記５齢飼育工程における飼育トレイの間隔を前記４齢飼育工程における飼育トレイの間隔よりも広くすることを特徴とする。
【０００８】
また本発明の第５の手段は、さらに前記１〜３齢飼育工程において、飼育トレイの間隔を、掃き立て時の間隔よりも広く、４齢飼育工程時の飼育トレイ間隔以下に変更する飼育トレイの間隔変更工程を設けることが好ましい。
【０００９】
また本発明の第６の手段は、さらに前記飼育トレイの間隔変更工程を行う時期を、室の湿度又は人工飼料の湿り度合いを測定し、その測定結果により変更することが好ましい。
【００１０】
また本発明の第７の手段は、掃き立てから４齢起蚕になる前までの１〜３齢飼育工程と、４齢起蚕から５齢起蚕になる前までの４齢飼育工程と、５齢起蚕から上蔟を開始するまでの５齢飼育工程と、前記１〜３齢飼育工程の終わりか前記４齢飼育工程の初めに人工飼料の交換を行う第１の給餌工程と、前記４齢飼育工程の終わりか前記５齢飼育工程の初めに人工飼料の交換を行う第２の給餌工程とを有し、人工飼料を入れた飼育トレイを複数段積み重ねて、各飼育トレイ内で蚕を飼育する飼育方法において、前記１〜３齢飼育工程中に、人工飼料の交換を行う給餌工程を設け、それぞれの給餌工程では、上部に位置する飼育トレイを下部に、下部に位置する飼育トレイを上部に配置させるトレイ積み替えを行い、前記１〜３齢飼育工程中の前記給餌工程の前段階と後段階、前記４齢飼育工程中、及び前記５齢飼育工程中に、上部に位置する飼育トレイを下部に、下部に位置する飼育トレイを上部に配置させるトレイ積み替え工程をさらに設けることを特徴とする。
【００１１】
また本発明の第８の手段は、さらに最上段には、蚕を飼育しないトレイ又はふた体を配置することが好ましい。
【００１２】
また本発明の第９の手段は、さらに最初に飼育トレイを積み重ねる際、最上段及び最下段には蚕を飼育しない飼育トレイ又はふた体を配置し、前記飼育トレイを積み替える際には、最上段の飼育トレイ又はふた体から順に、別の台車に載せ替えることにより行うことが好ましい。
【００１３】
また本発明の第１０の手段は、人工飼料を入れた飼育トレイを複数段積み重ねて、各飼育トレイ内で蚕を飼育する飼育方法において、上下方向を開口とした繭形成室を多数併設した上蔟装置を、上蔟開始予定時に各飼育トレイ上に配設することを特徴とする。
【００１４】
また本発明の第１１の手段は、人工飼料を入れた飼育トレイを複数段積み重ねて、各飼育トレイ内で蚕を飼育する飼育方法において、繭形成室を多数併設した上蔟装置を各飼育トレイ上に所定期間配設する第１の上蔟工程と、前記第１の上蔟工程の後、前記上蔟装置を各飼育トレイ上から取りはずして営繭するまで上蔟を継続する第２の上蔟工程とを有することを特徴とする。
【００１５】
また本発明の第１２の手段は、上下方向を開口とした繭形成室を多数併設した蔟器と、前記蔟器を飼育トレイ内底面から所定高さに配設するアングルとより構成することを特徴とする。
【００１６】
また本発明の第１３の手段は、さらに前記蔟器の上方の開口面を覆う封止材を設けることが好ましい。
【００１７】
また本発明の第１４の手段は、複数に分割され、それぞれ独自に温湿度の制御が可能な飼育室と、人工飼料の交換を行う作業室とを設け、それぞれの飼育室には、前記作業室に通じる出入口を設け、外部との出入口は、前記作業室にのみ設けるとともに、この外部との出入口にはパスボックスを設けることを特徴とする。
【００１８】
また本発明の第１５の手段は、それぞれ独自に温湿度の制御が可能な第１〜第３の飼育室と、人工飼料の交換を行う作業室とを設け、前記第１〜第３の飼育室にはそれぞれ前記作業室に通じる出入口を設け、前記第２の飼育室は前記第１の飼育室よりも広く、また前記第３の飼育室は前記第２の飼育室よりも広く構成し、前記第３の飼育室には、上蔟室に通じる出入口を設けることを特徴とする。
【００１９】
また本発明の第１６の手段は、掃き立てから４齢起蚕になる前までの飼育を行う１〜３齢用飼育室と、４齢起蚕から５齢起蚕になる前までの飼育を行う４齢用飼育室と、５齢起蚕から上蔟準備完了までの飼育を行う５齢用飼育室とを備え、前記４齢用飼育室は前記１〜３齢用飼育室よりも広く、また前記５齢用飼育室は前記４齢用飼育室よりも広く構成し、前記４齢用飼育室は、前記１〜３齢用飼育室の１．５倍以上の広さとすることを特徴とする。
【００２０】
また本発明の第１７の手段は、掃き立てから４齢起蚕になる前までの飼育を行う１〜３齢用飼育室と、４齢起蚕から５齢起蚕になる前までの飼育を行う４齢用飼育室と、５齢起蚕から上蔟準備完了までの飼育を行う５齢用飼育室とを備え、前記４齢用飼育室は前記１〜３齢用飼育室よりも広く、また前記５齢用飼育室は前記４齢用飼育室よりも広く構成し、前記５齢用飼育室は、前記１〜３齢用飼育室の３．４倍以上の広さとすることを特徴とする。
【００２１】
また本発明の第１８の手段は、第１の温度・湿度に設定された１〜３齢用飼育室と、第１の温度・湿度よりもそれぞれ低い第２の温度・湿度に設定された４齢用飼育室と、第２の温度・湿度よりもそれぞれ低い第３の温度・湿度に設定された５齢用飼育室とを備え、前記４齢用飼育室は前記１〜３齢用飼育室よりも広く、また前記５齢用飼育室は前記４齢用飼育室よりも広く構成し、前記４齢用飼育室は前記１〜３齢用飼育室の１．５倍以上の広さとすることを特徴とする。
【００２２】
また本発明の第１９の手段は、第１の温度・湿度に設定された１〜３齢用飼育室と、第１の温度・湿度よりもそれぞれ低い第２の温度・湿度に設定された４齢用飼育室と、第２の温度・湿度よりもそれぞれ低い第３の温度・湿度に設定された５齢用飼育室とを備え、前記４齢用飼育室は前記１〜３齢用飼育室よりも広く、また前記５齢用飼育室は前記４齢用飼育室よりも広く構成し、前記５齢用飼育室は前記１〜３齢用飼育室の３．４倍以上の広さとすることを特徴とする。
【００２３】
また本発明の第２０の手段は、掃き立てから４齢起蚕になる前までの飼育を行う１〜３齢用飼育室と、４齢起蚕から５齢起蚕になる前までの飼育を行う４齢用飼育室と、５齢起蚕から上蔟準備完了までの飼育を行う５齢用飼育室とを備え、前記４齢用飼育室は前記１〜３齢用飼育室よりも広く、また前記５齢用飼育室は前記４齢用飼育室よりも広く構成し、前記１〜３齢用飼育室は、前記５齢用飼育室の１５％以上の広さとすることを特徴とする。
【００２４】
また本発明の第２１の手段は、掃き立てから４齢起蚕になる前までの飼育を行う１〜３齢用飼育室と、４齢起蚕から５齢起蚕になる前までの飼育を行う４齢用飼育室と、５齢起蚕から上蔟準備完了までの飼育を行う５齢用飼育室とを備え、前記４齢用飼育室は前記１〜３齢用飼育室よりも広く、また前記５齢用飼育室は前記４齢用飼育室よりも広く構成し、前記４齢用飼育室は、前記５齢用飼育室の３０％以上の広さとすることを特徴とする。
【００２５】
また本発明の第２２の手段は、第１の温度・湿度に設定された１〜３齢用飼育室と、第１の温度・湿度よりもそれぞれ低い第２の温度・湿度に設定された４齢用飼育室と、第２の温度・湿度よりもそれぞれ低い第３の温度・湿度に設定された５齢用飼育室とを備え、前記４齢用飼育室は前記１〜３齢用飼育室よりも広く、また前記５齢用飼育室は前記４齢用飼育室よりも広く構成し、前記１〜３齢用飼育室は、前記５齢用飼育室の１５％以上の広さとすることを特徴とする。
【００２６】
また本発明の第２３の手段は、第１の温度・湿度に設定された１〜３齢用飼育室と、第１の温度・湿度よりもそれぞれ低い第２の温度・湿度に設定された４齢用飼育室と、第２の温度・湿度よりもそれぞれ低い第３の温度・湿度に設定された５齢用飼育室とを備え、前記４齢用飼育室は前記１〜３齢用飼育室よりも広く、また前記５齢用飼育室は前記４齢用飼育室よりも広く構成し、前記４齢用飼育室は、前記５齢用飼育室の３０％以上の広さとすることを特徴とする。
【００２７】
また本発明の第２４の手段は、第１の温度・湿度に設定された１〜３齢用飼育室と、第１の温度・湿度よりもそれぞれ低い第２の温度・湿度に設定された４齢用飼育室と、第２の温度・湿度よりもそれぞれ低い第３の温度・湿度に設定された５齢用飼育室とを備え、前記１〜３齢用飼育室は、少なくとも独立した室を１３室有し、前記４齢用飼育室は、少なくとも独立した室を８室有し、前記５齢用飼育室は、少なくとも独立した室を９室有することを特徴とする。
【００２８】
また本発明の第２５の手段は、掃き立てから４齢起蚕になる前までの飼育を行う１〜３齢用飼育室と、４齢起蚕から５齢起蚕になる前までの飼育を行う４齢用飼育室と、５齢起蚕から上蔟準備完了までの飼育を行う５齢用飼育室とを備え、前記１〜３齢用飼育室は、少なくとも独立した室を１３室有し、前記４齢用飼育室は、少なくとも独立した室を８室有し、前記５齢用飼育室は、少なくとも独立した室を９室有することを特徴とする。
【００２９】
【作用】
本発明の第１の手段により、上部位置と下部位置との間で生じる環境の違い、特に温度差によって生じる蚕の発育の差異を少なくし、均一な蚕の成長を促すことができる。
本発明の第２の手段により、上部位置と下部位置との間で生じる環境の違い、特に温度差によって生じる蚕の発育の差異を少なくし、均一な蚕の成長を促すことができる。また、人工飼料の交換とともに行うために作業の簡略化を図ることができる。特に除菌、又は無菌室での飼育においては、外部からの雑菌の侵入、あるいは室内での落下菌による影響が大きいため、このように作業工程を簡略化し、少なくすることが重要である。
本発明の第３の手段により、飼育トレイの間隔を広げることにより各飼育トレイ内の湿度を下げることができる。蚕に適した湿度はその成長に従って下げることが好ましいことが知られているが、この蚕に適した湿度調整を飼育トレイの間隔を変更することにより行うものである。
このように、飼育トレイの間隔を調整して、飼育トレイ内を蚕に適した湿度とすることにより、蚕の飼育トレイからの這い出しを防ぐことができる。
本発明の第４の手段により、上部位置と下部位置との間で生じる環境の違い、特に温度差によって生じる蚕の発育の差異を少なくし、均一な蚕の成長を促すことができる。また、第１の給餌工程及び第２の給餌工程とともに行うために作業の簡略化を図ることができる。特に除菌、又は無菌室での飼育においては、外部からの雑菌の侵入、あるいは室内での落下菌による影響が大きいため、このように作業工程を簡略化し、少なくすることが重要である。
また飼育トレイの間隔を広げることにより各飼育トレイ内の湿度を下げることができ、蚕の這い出しを防止することができる。
本発明の第５の手段により、さらにそれぞれの飼育トレイの間隔を、蚕の成長にともなって３段階に変更するために、各飼育トレイ内を蚕に適した環境とすることができる。
本発明の第６の手段により、室の湿度又は人工飼料の湿り度合いによって、それぞれの飼育トレイの間隔を変更する時期を変えるために、各飼育トレイ内をさらに蚕に適した環境とすることができる。
本発明の第７の手段により、飼育トレイの積み替え工程を、蚕の飼育期間中に少なくとも７回設けることになる。すなわちおよそ３日間ごとに飼育トレイの積み替えを行うことになり、上部位置と下部位置との間の温度差によって生じる蚕の発育の差異を少なくし、均一な蚕の成長を促すことができる。
本発明の第８の手段により、いちばん上部に積まれた蚕を飼育する飼育トレイの飼育環境を、他の飼育トレイの環境に近づけることができ、蚕の発育の差異を少なくし、均一な蚕の成長を促すことができる。
本発明の第９の手段により、飼育トレイを積み替えても、常に最上段には空の飼育トレイ又はふた体が配置されることになる。その結果、いちばん上部に積まれた蚕を飼育する飼育トレイの飼育環境を他の飼育トレイの環境に近づけることができる。また、最下部に位置する飼育トレイも外部（室底部）からの影響を受けやすいが、この位置にも常に空の飼育トレイ又はふた体が配置されることになる。従ってそれぞれの飼育トレイの環境の均一化を図ることができる。
本発明の第１０の手段により、上蔟装置を、複数段積み重ねたそれぞれの飼育トレイに配設して、上蔟を行うため、人手によることなく、また別途広い空間を必要とすることもない。特に上蔟装置は上蔟開始予定時にそれぞれの飼育トレイ上に配設するため、飼育トレイ内の環境悪化を防止することができる。
本発明の第１１の手段により、第１の上蔟工程を設けているので、上蔟作業の手間をなくし、別途広い空間を必要とすることもなく、さらには、第２の上蔟工程を設けているので、湿度の高い状態での営繭を防止し、良質な繭形成を行わせることができる。
本発明の第１２の手段により、人工飼料を入れた飼育トレイを複数段積み重ねて、各飼育トレイ内で蚕を飼育する飼育方法において、効率よく上蔟を行わせることができる。
本発明の第１３の手段により、飼育トレイ内から、それぞれの飼育トレイに配設された蔟器にはい上がった蚕が、さらにその蔟器の上に積まれた飼育トレイの底面との隙間で上蔟することを防止することができる。
本発明の第１４の手段により、独自に温湿度を設定できる複数の飼育室を有しているので、蚕の成長にあわせて飼育室を利用でき、掃き立て時期の異なる蚕の同時飼育が可能である。
また、作業室を別途設け、雑菌の侵入の可能性の高い人工飼料の交換作業をそれぞれの飼育室で行わず、さらに外部との出入口をこの作業室にのみ設け、その出入口にはパスボックスを設けることによって、各飼育室への雑菌侵入を防止できる。
本発明の第１５の手段により、上記同様に各飼育室への雑菌侵入を防止できる。また、各飼育室の広さを変えることによって、蚕の発育段階に応じ必要な広さの飼育室を利用でき、蚕の飼育に必要のない空間を減らすことができるため、雑菌防止のための消毒や除菌などが確実に行える。
本発明の第１６の手段又は第１８の手段により、最も狭い１〜３齢用飼育室を基準として、４齢用飼育室の広さを決定することができる。そして、蚕の発育段階に応じて、必要な広さの飼育室を利用でき、蚕の飼育に必要のない空間を減らすことができるため、雑菌防止のための消毒や除菌などが確実に行える。
本発明の第１７の手段又は第１９の手段により、最も狭い１〜３齢用飼育室を基準として、５齢用飼育室の広さを決定することができる。そして、蚕の発育段階に応じて、必要な広さの飼育室を利用でき、蚕の飼育に必要のない空間を減らすことができるため、雑菌防止のための消毒や除菌などが確実に行える。
本発明の第２０の手段又は第２２の手段により、最も広い５齢用飼育室を基準として、１〜３齢用飼育室の広さを決定することができる。そして蚕の発育手段に応じて、必要な広さの飼育室を利用でき、蚕の飼育に必要のない空間を減らすことができるため、雑菌防止のための消毒や除菌などが確実に行える。
本発明の第２１の手段又は第２３の手段により、最も広い５齢用飼育室を基準として、４齢用飼育室の広さを決定することができる。そして蚕の発育手段に応じて、必要な広さの飼育室を利用でき、蚕の飼育に必要のない空間を減らすことができるため、雑菌防止のための消毒や除菌などが確実に行える。
本発明の第２４の手段又は第２５の手段により、毎日の連続した掃き立てが可能になり、蚕の年間を通じた連続飼育ができる。特に各飼育室を独立した室に分割しているので、分割された各室ごとの消毒が行え、また除菌も確実に行える。そして万一雑菌が発生しても、他の室へ広がることもなく、除菌を行える。
【００３０】
【実施例】
以下本発明の蚕の飼育方法の実施例について説明する。
まず、本発明の蚕の飼育方法に用いる装置について図面を用いて説明する。
図１は１枚の飼育トレイの上面図、図２は飼育トレイの断面図、図３は飼育トレイ及び上蔟装置を示す分解斜視図である。
飼育トレイ１は、底面１ａと内周側板１ｂとにより凹部を形成し、この凹部で蚕の飼育を行う。内周側板１ｂには、通気性を高めるための開口部１ｃが多数設けられている。外周側板１ｄは縁部１ｅにより内周側板１ｂと連接されている。外周側板１ｄと縁部１ｅは、飼育トレイ１の強度を確保し、飼育トレイ１を移動する場合の底面１ａの変形を防止するとともに、飼育トレイ１を重ねて載置することを可能にしている。
【００３１】
飼育トレイ１の底面１ａ上には、人工飼料３が載せられる。
人工飼料３は、内周側板１ｂと少なくとも５〜１０センチメートル隙間を開けて１．８ミリメートル〜７．０ミリメートルの厚さで敷かれる。
このように人工飼料３を内周側板１ｂと隙間を開けて敷くのは、内周側板１ｂ面で結露した水分が人工飼料３に垂れるのを防止するためである。人工飼料３に結露水が垂れると、稚蚕の時には水没死してしまう危険性があるとともに、人工飼料３の腐敗の危険性がある。
ここで人工飼料３としては、例えばトウフ粕粉末、桑葉粉末及び脱脂大豆粉末を必須成分とした飼料原料に水を加えて練り合わせ、平板状に圧延したものを用いる（例えば特開平４−２１８３４３号公報）。
【００３２】
人工飼料３上には、飼育ネット４が敷かれている。この飼育ネット４は、その網の目が１センチメートル四角の弾性材料からなる網を用いている。この飼育ネット４は、蚕の脱皮を促すためのものである。すなわち、蚕は脱皮を繰り返して成長するが、この脱皮を行う際には足をしっかり固定させる必要があるためである。また飼育ネット４は、図１に示すように３分割されている。これは蚕の成長に合わせて分箔する必要があり、それぞれの飼育ネット４を分けてそれぞれ新しい飼育トレイ１に１枚ずつ移動することにより行える。この分箔の方法については後述する。図中５は蚕を示す。なお、飼育ネット４は、人工飼料３上を覆う大きさが必要であるが、できればそれぞれの飼育ネット４の間に隙間が生じないようにそれぞれ隣り合う飼育ネット４が重なり合うように敷くことが好ましい。これは分箔時など、蚕の移動を飼育ネット４によって行う場合に、蚕が人工飼料３上に残らないようにするためである。この時、重なり部分は、１センチメートル〜３センチメートル程度が好ましい。重なり部分が多くなりすぎると、それぞれ飼育ネット４間の蚕の頭数が異なってしまい蚕の頭数をバランスよく分箔することができず、一方重なり部分が少なすぎると分箔時に飼育ネット４周辺部にいる蚕が、飼育ネット４を取り除いた後のえさの上に這い出る可能性があるためである。
【００３３】
飼育ネット４の重ね方には幾通りかあるが、最も好ましくは、図に示すように中央に位置する飼育ネット４を両サイドの飼育ネット４の上に重なるように載置する方法である。蚕は、中央部より周辺部に多く集まるために、実質的に中央に位置する飼育ネット４の面積を大きくして、均一に分箔するためである。この方法では、後述するように３倍の分箔を行う際に、新しい飼育トレイ１上にあらかじめ新しい２枚の飼育ネット４を両サイドに載置しておき、蚕のいる飼育ネット４を中央に載置できる。従って、蚕のいる飼育ネット４を移動する前に、新しい飼育トレイ１上にあらかじめ新しい飼育ネット４を載置しておくことが可能になるとともに、その後の飼育において、蚕の均一な分散を促すことができる。
また、他の飼育ネット４の重ね方として、魚の鱗状に載置する方法が好ましい。すなわち、飼育トレイ１の一方側から順に飼育ネット４を載置する方法である。この方法では、一方から順に飼育ネット４を載置するので、人工飼料交換装置を用いて機械的に分箔を行う場合に規則的に動作させることができるので、３倍に分箔する場合のほか、３／２倍に分箔する場合にも対応が容易となる。
【００３４】
次に図３を用いて上蔟装置２について説明する。
上蔟装置２は、蔟器２ａと、この蔟器２ａを飼育トレイ１の底面１ａから所定高さに配設するアングル２ｂとより構成されている。蔟器２ａは、ダンボールなどに用いられる厚紙によって形成され、上下方向を開口とした繭形成室を多数併設したものである。ただし、ポリプロピレンなどの材料でもよい。本実施例では、６つの蔟器２ａをアングル２ｂに取りはずし可能に載置されている。
アングル２ｂは、飼育トレイ１の凹部にわずかの隙間をもってはまり込むように枠組みされた側板２ｃと、この側板２ｃによって囲まれた空間を３分割するように設けられた仕切板２ｄによって構成されている。また側板２ｃの内周面と仕切板２ｄの側面には、蔟器２ａを載置するための段部２ｅが設けられている。この段部２ｅは、アングル２ｂの底面、すなわち飼育トレイ１上に載置される面から２センチメートル程度の位置に設けられている。
このように構成された上蔟装置２は、５齢蚕が上蔟を開始する時期に飼育トレイ１上に設置し、その後一定期間経過後に飼育トレイ１から除去するものである。
ここで、図示しないが、蔟器２ａに、その上方の開口面を覆う封止材を設けることが好ましい。封止材としては蔟器２ａと同様の材料でもよいが、もっと薄手の紙などを用いてもよい。また、封止材は、蚕が通り抜けできない程度の通気孔を有することがより好ましく、ネット状のものを用いても良い。この封止材は、飼育トレイ内から、それぞれの飼育トレイに配設された蔟器に這い上がった蚕が、さらにその蔟器の上に積まれた飼育トレイの底面との隙間で上蔟することを防止するものである。
なお、上記実施例ではアングル２ｂを仕切板２ｄによって３分割し、また蔟器２ａを６分割したもので説明したが、必ずしも分割するものに限られるわけではない。
【００３５】
次に上記飼育トレイ１を用いた飼育方法について説明する。
図４に示すように、飼育トレイ１を複数段積み重ねて飼育する。図示しないが各飼育トレイ１内には、図１〜図３で説明したように、人工飼料及び飼育ネットとともに蚕が入れられている。なお、最上段の飼育トレイ１は空にすることが好ましい。
これは、最上段の飼育トレイ１の上面は開放されているために他の飼育トレイ１と異なり人工飼料がかわきやすいなどの不都合を生じるためである。従って空の飼育トレイにかえて、ふた体を設置してもよい。
図に示すように飼育トレイ１は、台車５に積み重ねているが、これは後述するように餌交換などの作業を飼育場所と異なる場所で行う必要性がある場合のためである。特に蚕の無菌生産を行う場合には、飼育場所と作業場所を分けることが好ましく、かかる場合の移動に適している。
【００３６】
それぞれの飼育トレイ１の間には、スペーサ７が設けられている。このスペーサ７は、蚕の飼育期間中、常に設けるものではなく、またスペースの間隔も、蚕の成長に合わせて変更するものである。詳細については後述する。
なお、このスペーサ７の目的は、飼育トレイ１内の通気性を良くし、過度な湿気などによる悪環境の防止のためである。
なお、ここでは、飼育トレイ１を台車６に直接積み重ねる方法で説明したが、あらかじめ台車６に飼育トレイ１を複数載置できるような棚を設けておいてもよい。そして、この棚の間隔を変更可能に構成することにより、あるいは、棚の間隔の異なる台車を準備しておくことにより、上記実施例のスペーサ７の機能を果たすものであってもよい。
【００３７】
次に人工飼料の交換方法について説明する。
図５は上面から見た人工飼料交換装置の構成図、図６は正面から見た同装置の構成図である。
同図にも示すように、人工飼料交換装置は、主には、概略水平方向移動部８と垂直方向移動部９と、飼育トレイや飼育ネットをつかむためのアーム部１０とより構成される。アーム部１０は垂直方向移動部９とともに上下動するように、また、垂直方向移動部９は垂直方向レール１１上を上下に移動するように設けられている。また、この垂直方向移動部９及び垂直方向レール１１は、水平方向移動部８とともに水平方向レール１２に沿って左右方向に移動するものである。
【００３８】
今４台の台車に、それぞれ飼育トレイ１が積まれた状態を示しているが、それぞれ段積部１３、飼料供給部１４、飼育中台車部１５、ストック部１６である。飼育中台車部１５の飼育トレイ１には、前述のように人工飼料の上に３枚の飼育用ネットが載置され、それぞれの飼育用ネット上には飼育中の蚕が載っている。
【００３９】
また、飼料供給部１４の飼育トレイ１には、新しい人工飼料と新しい飼育用ネットが載置されている。この時、２齢眠前の飼料交換時及び４齢起蚕時の飼料交換時においては、３倍に分箔するため、２枚の新しい飼育用ネットが、５齢起蚕時の飼料交換時には３／２倍に分箔するため、１枚の新しい飼育用ネットが載置されている。２枚の新しい飼育用ネットを載置しておく場合には、飼育トレイ１の中央部を開けて両サイドの載置しておくことが好ましく、また１枚の新しい飼育用ネットを載置しておく場合には飼育トレイの中央部に載置しておくことが好ましい。段積部１３の飼育トレイ１は、新しい人工飼料上に蚕を移動させた後のものである。また、ストック部１６の飼育トレイ１は蚕を移動させた後の古い人工飼料が入ったものである。
【００４０】
まず、飼育中の飼育トレイ１を積んだ台車を飼育中台車部１５に、新しい人工飼料と２枚の新しい飼育用ネットを載置した飼育トレイ１を積んだ台車を飼料供給部１４に配置する。また、段積部１３及びストック部１６には飼育トレイ１を積んでいない空の台車を配置する。
この状態で人工飼料交換装置を動作させる。
まず、水平方向移動部８を飼育中台車部１５の位置まで水平方向レール１２上をさせる。
次に垂直方向移動部９を所定高さまで降下させ、アーム部１０にて、蚕の載った飼育用ネット１枚をつかみ、その後垂直方向移動部９を上昇させる。この状態で、水平方向移動部８を飼料供給部１４の位置まで水平方向レール１２上を移動させる。そして再度垂直方向移動部９を所定高さまで降下させ、蚕の載った飼育用ネットを飼育用トレイに載置する。
【００４１】
３倍に分箔する場合には、これで１つの新たな飼育用トレイ１ができ上がる。また３／２倍に分箔する場合には再度同じ動作を繰り返し、蚕の載った飼育用ネットをさらにもう１枚飼育トレイに載置することにより新たな飼育トレイができ上がる。従ってこの新たな飼育用トレイ１をアーム部１０にてつかみ、垂直方向移動部９を上昇後、水平方向移動部８を段積部１３の位置まで移動し、垂直方向移動部９を降下後、アーム部１０を解除し、段積部１３の台車に新たな飼育用トレイ１を載置する。
【００４２】
同様にして、飼育中台車部１５の飼育トレイ１に残った２枚の飼育用ネットも１枚ずつ飼料供給部１４の新しい飼育トレイ１に移動し、蚕を移動した新しい飼育トレイ１はそれぞれ段積部１３の台車に積まれる。
このようにして、３枚の飼育用ネットをすべて取り除いた飼育中台車部１５上の飼育トレイは、ストック部１６に移動される。
飼料供給部１４にある飼育トレイがすべて段積部１３に移動した時点で作業を中断し、段積部１３に載置された新たな飼育トレイを飼育室に移動する。
そして再度新しい人工飼料を入れた飼育トレイを飼料供給部１４に配置し、上記同様に飼料の交換作業を行う。
【００４３】
本実施例では、上記のように直線上に、段積部１３、飼料供給部１４、飼育中台車部１５、ストック部１６とを並べ、飼料供給部１４と飼育中台車部１５とを隣り合わせて配置させたことにより以下の効果を奏する。
まず、蚕の載った飼育用ネットを最短距離で移動できるために移動中の蚕の落下を最小限に抑えることができる。また移動時間も短いために、残された飼育用ネットから蚕がネット外へはい出すのも最小限に抑えることができる。また、新しい飼育用トレイと使用済のよごれた飼育用トレイを両サイドに離して配置することにより、特に無菌での生産を行う場合にあっては、衛生上好ましい。
さらに、本実施例のように、各飼育トレイを長手方向に並べることにより、新しい飼育トレイと使用済のよごれた飼育用トレイとの距離をさらに離すことができるとともに、水平方向移動部８に加わるモーメント力を少なくすることができ、水平方向レール１２を各台車をはさんで２本設けることもなくなる。
【００４４】
次に飼育トレイの積み替え方法について説明する。
飼育トレイの積み替えは、人工飼料交換装置を用いて行うことができる。すなわち、人工飼料交換方法においては、段積部１３、飼料供給部１４、飼育中台車部１５、ストック部１６の４ヶ所に台車を配置したが、飼育トレイの積み替えにおいては、４ヶ所のうち２ヶ所を用いることにより行うことができる。
例えば飼育中台車部１５に現在飼育中の飼育トレイを台車ごと配置し、ストック部１６に空き台車を配置する。
そして、人工飼料交換時と同様に水平方向移動部８と垂直方向移動部９を移動させて、飼育中台車部１５に積まれた飼育トレイを最上段から順にストック部１６の台車に移動する。
この時最上段及び最下段に空きの飼育トレイを積んでおけば飼育トレイを積み替えた後にも常に最上段に空きの飼育トレイが配置されることになる。
このようにして飼育トレイを積み替えることにより、上部の飼育トレイ内の蚕と下部の飼育トレイ内の蚕の成長を均一にすることができる。
【００４５】
空調環境を一定にした密閉空間の部屋において、飼育トレイを１５段から２０段積み、２メートル前後の高さの状態では、２度近い温度差が発生する。なお、この温度差をなくすために、室内空気の強制循環も考えられるが人工飼料の乾燥が早く、人工飼料の交換時期を早めなければならなくなる。特に無菌室での飼育を行う場合には、できるだけ外部との出入りを少なくすることが大切であり、人工飼料の交換時期が早まることは、外部との出入りが多くなり好ましくない。
従って、この飼育トレイの積み替えは無菌室の飼育において蚕の均一的成長を図る上で特に有効な方法である。
なお、上記実施例では最上段から順に移動する方法で説明したが２〜３段ごとまとめて移動する方法であってもよい。
【００４６】
また前述の人工飼料の交換方法においても、実質的に飼育トレイの積み替え効果がある。すなわち、前述の人工飼料の交換方法においては、１本の飼育トレイの山が３本の山になるため、厳密には、中間部分の飼育トレイについて見たとき、もとの位置が中間より上であるものが新たに積まれた山の中でも上方に位置することがありうる。しかし、温度差の影響の大きな上部に位置する１又は２段の飼育トレイ、あるいは下部に位置する１又は２段の飼育トレイについては、それぞれ新たな山では、下部、あるいは上部に配置されることになる。
【００４７】
次に蚕の無菌飼育に必要な設備及び装置について図７を用いて説明する。
まず蚕の飼育室として、１〜３齢用飼育室２０、４齢用飼育室２１、５齢用飼育室２２を設けている。また、それぞれの飼育室には、出入口２０ａ，２１ａ，２２ａが設けられている。１〜３齢用飼育室２０は、掃き立てから４齢起蚕になる前までの飼育を行うための室であり、温度を２８度〜２９度前後、湿度を９０％前後に保っている。４齢用飼育室２１は、４齢起蚕から５齢起蚕になる前までの飼育を行うための室である。この４齢用飼育室２１の温度及び湿度は、１〜３齢用飼育室２０よりも低く設定してあり、温度は２６度前後、湿度は８０％前後に保っている。５齢飼育室２２は、５齢起蚕から上蔟準備完了までの飼育を行うための室である。ここで上蔟準備完了までとは、蚕が上蔟を開始してからの一定期間（約２日）をいい、未だ完全に繭を形成してはいないが、繭を形成するために上蔟器の中に移動するまでの期間である。
この５齢用飼育室２２の温度及び湿度は、４齢用飼育室２１よりもさらに低く設定してあり、温度は２４度前後、湿度は７５％前後に保っている。なお、それぞれの飼育室は、無菌室とすることが最も好ましいが、５齢飼育室２２については、通常環境のもとでもさして支障はない。
【００４８】
上蔟室２３は、上蔟準備完了後、蚕が完全に繭を形成し、繭の中で完全なさなぎとなるまでの蔟中管理を行う場所である。
この上蔟室２３は、清潔であれば、必ずしも無菌室とする必要はなく、４月〜９月の間は窓を開放して通常環境で上蔟する。またそれ以外の期間では、石油温風ヒーターや換気扇などを適宜用いる。
【００４９】
無菌作業室２４は、掃き立て、人工飼料の交換、飼育用トレイの積み替えなど、上蔟前までの蚕の飼育に必要な作業を行う場所である。この無菌作業室２４は５齢用飼育室２２よりも低い温度・湿度に設定している。また無菌室となっている。
【００５０】
無菌作業室２４と隣接して通常環境作業室２５を設けている。この通常環境作業室２５は、人工飼料の原料である粉体と水とを練り合わせて飼料を製造したり、飼育室から搬出した飼育トレイの洗浄などを行う場所である。
その他の設備としては、飼育トレイ保管室２６、人工飼料の原材料保管室２７、粉体処理室２８、事務室２９、機械室３０などが設けられている。
また無菌室への出入口には、パスボックス３１ａ〜３１ｅが設けられ、外部からの病原菌の侵入を防止している。なお、無菌作業室２４に設けられたパスボックス３１ａは、新しい飼育トレイなどの搬入用のものであり、パスボックス３１ｂは、古い飼育トレイなどの搬出用のものである。図示の通り、パスボックス３１ａは、各飼育室から離れた場所に、またパスボックス３１ｂは、各飼育室に近いほうに設けられている。これは、外部からの病原菌が各飼育室にまで侵入しにくくするためである。
特に微生物汚染は、人の出入りによって生じる場合が最も多いため、人の出入口となる事務室２９とパスボックス３１ｅとの間には、順に更衣室３２ａ、シャワー室３２ｂ、エアシャワー室３２ｃ、更衣室３２ｄが設けられている。なお無菌作業室２４に隣接して蚕種保護室３３が設けられている。
なお無菌作業室２４内には、図５で説明した人工飼料交換装置４０が設けられており、必要に応じて段積部１３、飼料供給部１４、飼育中台車部１５、ストック部１６が配置される。そして、特には図示のように順に配置することが好ましい。
【００５１】
次に空調装置について簡単に説明する。
機械室３０には、除菌装置３４及び温湿度制御装置３５が設けられており、外気を除菌した後、温湿度を調整している。なお温湿度は、最も温室度の低い無菌作業室２４に適合するように設定している。
この除菌された空気は、ダクト３６を経由して、各飼育室２０、２１、２２、無菌作業室２４及び１〜３齢飼育室２０及び４齢飼育室２１と無菌作業室２４との間に設けられた通路３７に導かれる。ただし、各飼育室２０、２１、２２の吹き出しダクトにはそれぞれヒータ３８ａ，３８ｂ，３８ｃが設けられており、各飼育室に適合した温度に調整される。また各飼育室２０、２１、２２には、それぞれ過湿器３９ａ，３９ｂ，３９ｃが設けられ、各飼育室に適合した湿度に調整される。
【００５２】
次にそれぞれの飼育室の広さについて説明する。
４齢飼育室２１は、１〜３齢用飼育室２０よりも広く、また５齢用飼育室２２は、４齢用飼育室２１よりも広く構成する。この時、１〜３齢用飼育室２０の室の広さを基準とした場合には、４齢用飼育室２１は、少なくとも１〜３齢用飼育室２０の１．５倍以上の広さとすることが好ましい。また、５齢用飼育室２２は、少なくとも１〜３齢用飼育室２０の３．４倍以上の広さとすることが好ましい。
なお最も好ましくは、４齢用飼育室２１を１〜３齢用飼育室２０の２．６倍以上の広さ、５齢用飼育室２２を１〜３齢用飼育室２０の６．４倍以上の広さとすることである。
一方、５齢用飼育室２２の室の広さを基準とした場合には、１〜３齢用飼育室２０は、少なくとも５齢用飼育室２２の１５％以上の広さとすることが好ましい。また、４齢用飼育室２１は、少なくとも５齢用飼育室２２の３０％以上の広さとすることが好ましい。
なお最も好ましくは、１〜３齢用飼育室２０を５齢用飼育室２２の２９％以上の広さ、４齢用飼育室２１を５齢用飼育室２２の６６％以上の広さとすることである。
【００５３】
各飼育室の最適な室の広さは、蚕の発育に合わせた分箔によって決まる。しかし蚕の無菌飼育を行う上では外部からの病原菌の持ち込みを極力減らすことが重要である。また人工飼料の種類や量は、蚕の発育に影響をおよぼす。従って、飼料交換時に分箔を行うことが好ましい。
蚕の無菌飼育においては、３回給餌と４回給餌が好ましい。なお、３回給餌又は４回給餌とは、掃き立ての時の給餌を１回と数えたものである。従って、３回給餌とは掃き立て時以外に２回給餌を行う方法である。そして、３回給餌としては、４齢起蚕時と５齢起蚕時に行うのがよい。また４回給餌としては、さらに２齢眠前に行う。従って分箔もこのタイミングで行う。
【００５４】
まず、３回給餌の場合、それぞれ３倍ずつ分箔したとする。１〜３齢用飼育室を１とすると、４齢用飼育室は３、５齢用飼育室は９の広さが必要となる。しかし、１〜３齢の飼育期間は、４齢の飼育期間や５齢の飼育期間の約２倍である。そこで４齢用飼育室及び５齢用飼育室をあそばせることなく、可能な限り連続的な使用を考えると、１〜３齢用飼育室は２倍必要となる。
すなわち、１〜３齢用飼育室を２、４齢用飼育室を３、５齢用飼育室を９とすれば、効率よく各飼育室を利用した蚕の飼育が可能となる。
従って、必要最低限の各室の広さは、１〜３齢用飼育室を基準とした時、４齢用飼育室を１〜３齢用飼育室の１．５倍以上の広さ、５齢用飼育室を１〜３齢用飼育室の４．５倍以上の広さとすることが好ましい。
一方５齢用飼育室を基準とした時には、１〜３齢用飼育室を５齢用飼育室の１７％以上の広さ、４齢用飼育室を５齢用飼育室の３３％以上の広さとすることが好ましい。
【００５５】
次に３回給餌で、それぞれ３倍ずつに分箔する場合において、毎日掃き立てを行う場合について述べる。
まず飼育日数は、１〜３齢期間が１２日間、４齢期間が７日間、５齢期間が上蔟準備期間を含めて８日間である。
従って、１〜３齢用飼育室は、１日分を１とすると１３日分で１３の広さが必要である。また４齢用飼育室は、１日分が、１〜３齢用飼育室の３倍であるので、８日分で２４の広さが必要である。また５齢用飼育室は、１日分が、１〜３齢用飼育室の９倍であるので、９日分で８１の広さが必要である。
すなわち、１〜３齢用飼育室を基準とした時、４齢用飼育室を１〜３齢用飼育室の１．９倍以上の広さ、５齢用飼育室を１〜３齢用飼育室の６．０倍以上の広さとすることが好ましい。
一方５齢用飼育室を基準とした時には、１〜３齢用飼育室を５齢用飼育室の１６％以上の広さ、４齢用飼育室を５齢用飼育室の３０％以上の広さとすることが好ましい。
【００５６】
なお、無菌状態に保つためには、１回の飼育ごとに消毒を行う必要がある。そして連続的飼育を続けながら、消毒を行うためには、各飼育室内を少なくとも１日分ごとに仕切り、かつ各飼育室ごとに予備の室を１日分は設ける必要がある。従って、各飼育室ごとに１日分の予備の広さを加えると、１〜３齢用飼育室は１４、４齢用飼育室は２７、５齢用飼育室は９０の広さが必要である。
すなわち、１〜３齢用飼育室を基準とした時、４齢用飼育室を１〜３齢用飼育室の１．９倍以上の広さ、５齢用飼育室を１〜３齢用飼育室の６．４倍以上の広さとすることが好ましい。
一方５齢用飼育室を基準とした時には、１〜３齢用飼育室を５齢用飼育室の１５％以上の広さ、４齢用飼育室を５齢用飼育室の３０％以上の広さとすることが好ましい。
【００５７】
次に４回給餌の場合について説明する。３回給餌の場合には、２齢眠前と４齢起蚕時に３倍ずつ分箔し、５齢起蚕時には３／２倍に分箔する。
このとき２齢眠前とは、１〜３齢飼育期間の中間時である。
従って、掃き立て時を１の広さとすると、２齢眠前給餌時に３の広さが別途必要になるため、１〜３齢用飼育室の広さは４となる。そして４齢用飼育室は、２齢眠前給餌時の３倍なので９の広さが、さらに５齢用飼育室は４齢飼育室の３／２倍なので２７／２の広さが必要となる。
従って、１〜３齢用飼育室を基準とした時、４齢用飼育室を１〜３齢用飼育室の２．２５倍以上の広さ、５齢用飼育室を１〜３齢用飼育室の３．４倍以上の広さとすることが好ましい。
一方５齢用飼育室を基準とした時には、１〜３齢用飼育室を５齢用飼育室の２９％以上の広さ、４齢用飼育室を５齢用飼育室の６６％以上の広さとすることが好ましい。
【００５８】
次に４回給餌で、３倍、３倍、３／２倍にそれぞれ分箔する場合において、毎日掃き立てを行う場合について述べる。
まず飼育日数は、１〜３齢期間のうち掃き立てから２齢眠前給餌期間が６日間、残りの１〜３齢期間が６日間、４齢期間及び５齢期間については前述の通り、それぞれ７日間と８日間である。
従って、１〜３齢用飼育室は、２齢眠前給餌までの１日分を１とすると、２齢眠前給餌までの７日分の７の広さと、３倍に分箔後の７日分の２１の広さの合計である２８の広さが必要である。また４齢用飼育室は、１日分が、９で８日分なので７２の広さが、５齢用飼育室は、１日分が、９×３／２で９日分なので１２１．５の広さが必要である。
すなわち、１〜３齢用飼育室を基準とした時、４齢用飼育室は１〜３齢用飼育室の２．６倍以上の広さ、５齢用飼育室は１〜３齢用飼育室の４．３倍以上の広さとすることが好ましい。
一方５齢用飼育室を基準とした時には、１〜３齢用飼育室を５齢用飼育室の２３％以上の広さ、４齢用飼育室を５齢用飼育室の６０％以上の広さとすることが好ましい。
【００５９】
なお、消毒を行うことを考え、各飼育室ごとに１日分の予備の広さを加えると、１〜３齢用飼育室は３２、４齢用飼育室は８１、５齢用飼育室は１３５の広さが必要である。
すなわち、１〜３齢用飼育室を基準とした時、４齢用飼育室を１〜３齢用飼育室の２．５倍以上の広さ、５齢用飼育室を１〜３齢用飼育室の４．２倍以上の広さとすることが好ましい。
一方５齢用飼育室を基準とした時には、１〜３齢用飼育室を５齢用飼育室の２３％以上の広さ、４齢用飼育室を５齢用飼育室の６０％以上の広さとすることが好ましい。
【００６０】
次に蚕の無菌飼育の方法について図７を用いて説明する。
なお、２０万頭の蚕を飼育する場合を用いる。
まず、卵を蚕種保護室３３から取り出し、無菌作業室２４にて卵の消毒を行う。卵の消毒には、アルコール、ホルマリン液又はクライト液などを用いる。  この卵の消毒の４日後に掃き立てを行う。まず掃き立てに先立って１〜２齢用の飼料を製造する。原材料保管室２７から人工飼料を運び出し、粉体処理室２８にて飼料練合機を用いて加水練合せを行う。この加水練り合された人工飼料を圧延成型機により圧延した後、飼育トレイの長さに合わせて必要な長さに切断する。この時人工飼料の厚さは１．８ミリメートル程度とする。この切断された人工飼料は、通常環境作業室２５にて飼育トレイに載せられる。この飼育トレイは、パスボックス３１ａを通って無菌作業室２４に搬入されるが、搬入前に蒸煮滅菌を行い、無菌飼料とする。飼育トレイは２０枚準備する。一方飼育用ネットは別途無菌作業室２４に搬入しておく。ただし、通常環境作業室２５にて、人工飼料を載せた飼育トレイに載せても構わない。１枚の飼育トレイに３枚の飼育ネットを用いるため、飼育ネットは６０枚必要である。
【００６１】
掃き立ては、無菌作業室２４にて行う。１枚の飼育トレイに１万頭の卵を掃き立てる。掃き立てが終了した飼育トレイは台車上に段積みする。この時少なくとも最上段及び最下段には空の飼育トレイを載せておくことが好ましい。このようにして段積みされた飼育トレイは１〜３齢用飼育室２０に搬入される。
掃き立てから４日目に飼育トレイの積み替えを行う。この時蚕は１眠入した状態である。飼育トレイの積み替えは、無菌作業室２４にて、人工飼料交換装置４０を用いて行う。積み替え方法については前述の通りである。なおこの積み替え時に１０ミリメートルのスペーサを飼育トレイ間に挿入しておく。
この積み替えの翌日に、スペーサを一旦除去することが好ましい。なお、このスペーサの除去作業も無菌作業室２４に飼育トレイを搬入して行う。ただし飼育トレイの積み替えは行わない。なお、この時蚕は２齢起蚕の状態である。
掃き立てから７日目に給餌及び飼育トレイの積み替えを行う。この時の給餌が２齢眠前給餌である。人工飼料の製造や飼育トレイの無菌作業室２４への搬入などは掃き立て時と同じであるので説明を省略する。また人工飼料の材料及びその飼料の厚さも同じである。この時の給餌で３倍に分箔するので、新しい飼育トレイを６０枚、新しい飼育ネットを１２０枚準備する必要がある。給餌、分箔、積み替えについては既に説明した通りである。なおこの時飼育トレイの間にはスペーサを用いない。また分箔の後、１枚の飼育トレイ上には平均３，３３０頭の蚕がいることになる。
【００６２】
掃き立てから８日目に蚕は２眠に入る。
掃き立てから９日目に飼育トレイの積み替えを行う。この積み替え作業も当然に無菌作業室２４にて行う。なお１〜３齢飼育室２０の湿度を検出し、仮に湿度が９０％を越えていたら、積み替え時に各飼育トレイ間に１０ミリメートルのスペーサを挿入する。湿度が９０％以下に保たれていたら、この時にはスペーサを挿入せず、さらに２日後にスペーサの挿入作業を行うものとする。ただし、このとき飼育室内の温度の検出に代えて、人工飼料の湿り度合を検出するものであってもよい。
掃き立てから１３日目に給餌及び飼育トレイの積み替えを行う。この時の給餌においても３倍に分箔するため、新たな飼育トレイを１８０枚、追加する新たな飼育ネットを３６０枚準備する。
なお、人工飼料の厚さは２．５ミリメートルとする。また積み替えはスペーサを挿入したままで行う。給餌及び積み替えの終わった飼育トレイは４齢用飼育室２１に移される。
【００６３】
掃き立てから１６日目に飼育トレイの積み替えを行う。
スペーサは挿入したままである。積み替え後の飼育トレイは４齢用飼育室２１にもどされる。
掃き立てから２０日目に給餌及び飼育トレイの積み替えを行う。なお蚕は５齢起蚕の状態である。この時の給餌においては、３／２に分箔する。従って新たな飼育トレイを２７０枚、追加する新たな飼育ネットを２７０枚準備する。給餌、分箔及び飼育トレイの積み替えも既に説明した通りである。
なお、この時の人工飼料の厚さは７ミリメートルとするとともに飼育トレイ間に挿入するスペーサを２０ミリメートルに変更する。
この給餌により１枚の飼育トレイ上の蚕は７４０頭である。作業終了後は５齢用飼育室２２に移される。
【００６４】
掃き立てから２３日目に、さらに給餌及び飼育トレイの積み替えさらには発育によって蚕の選別を行うことが好ましい。選別においては、標準を８０％、遅口を２０％とし、標準用に飼育トレイを４００枚、遅口用に飼育トレイを１００枚準備し、１枚の飼育トレイに約４００頭の蚕となるように分箔する。
追加すべき飼育ネットは６９０枚である。なおこの時の人工飼料の厚さは７ミリメートルとするとともに飼育トレイ間に挿入するスペーサを３０ミリメートルに変更する。
【００６５】
掃き立てから２６日目に上蔟が開始される。この時に各飼育トレイに上蔟装置を設定する。なお前述のように掃き立てから２３日目に給餌などを行う場合においては、その時点で上蔟装置を設定してもよい。
掃き立てから２８日目に上蔟装置と各飼育トレイから除去し、上蔟室２３に移す。
掃き立てから３５日目に収繭される。
【００６６】
ところで蚕を標準と遅口に選別した場合には、遅口の蚕は掃き立てから２９日目に上蔟を開始する。従ってこの時に上蔟装置を各飼育トレイに設置する。そしてその２日後に上蔟装置を各飼育トレイから除去して上蔟室２３に移す。この遅口の蚕については標準より３日遅れで収繭される。
【００６７】
【発明の効果】
上記実施例の説明から明らかなように、本発明は、上部位置と下部位置との間で生じる環境の違い、特に温度差によって生じる蚕の発育の差異を少なくし、均一な蚕の成長を促すことができる。
また本発明は、トレイの積み替えを人工飼料の交換とともに行うために作業の簡略化を図ることができる。特に除菌、又は無菌室での飼育においては、このように作業工程を簡略化し、少なくすることが重要である。
また本発明は、飼育トレイの間隔を調整して、飼育トレイ内を蚕に適した湿度とすることにより、蚕の飼育トレイからの這い出しを防ぐことができる。
また本発明は、飼育トレイの間隔を広げることにより各飼育トレイ内の湿度を下げることができ、蚕の這い出しを防止することができる。
また本発明は、さらにそれぞれの飼育トレイの間隔を、蚕の成長にともなって３段階に変更するために、各飼育トレイ内を蚕に適した環境とすることができる。
また本発明は、室の湿度又は人工飼料の湿り度合いによって、それぞれの飼育トレイの間隔を変更する時期を変えるために、各飼育トレイ内をさらに蚕に適した環境とすることができる。
また本発明は、およそ３日間ごとに飼育トレイの積み替えを行うことになり、上部位置と下部位置との間の温度差によって生じる蚕の発育の差異を少なくし、均一な蚕の成長を促すことができる。
また本発明は、いちばん上部に積まれた蚕を飼育する飼育トレイの飼育環境を、他の飼育トレイの環境に近づけることができ、蚕の発育の差異を少なくし、均一な蚕の成長を促すことができる。
また本発明は、飼育トレイを積み替えても、常に最上段には空の飼育トレイ又はふた体が配置されることになる。その結果、いちばん上部に積まれた蚕を飼育する飼育トレイの飼育環境を他の飼育トレイの環境に近づけることができる。また、最下部に位置する飼育トレイも外部（室底部）からの影響を受けやすいが、この位置にも常に空の飼育トレイ又はふた体が配置されることになる。従ってそれぞれの飼育トレイの環境の均一化を図ることができる。
また本発明は、特に上蔟装置は上蔟開始予定時にそれぞれの飼育トレイ上に配設するため、飼育トレイ内の環境悪化を防止することができる。
また本発明は、第１の上蔟工程を設けているので、上蔟作業の手間をなくし、別途広い空間を必要とすることもなく、さらには、第２の上蔟工程を設けているので、湿度の高い状態での営繭を防止し、良質な繭形成を行わせることができる。
また本発明は、人工飼料を入れた飼育トレイを複数段積み重ねて、各飼育トレイ内で蚕を飼育する飼育方法において、効率よく上蔟を行わせることができる。また本発明は、飼育トレイ内から、それぞれの飼育トレイに配設された蔟器にはい上がった蚕が、さらにその蔟器の上に積まれた飼育トレイの底面との隙間で上蔟することを防止することができる。
また本発明は、独自に温湿度を設定できる複数の飼育室を有しているので、蚕の成長にあわせて飼育室を利用でき、掃き立て時期の異なる蚕の同時飼育が可能である。
また本発明は、作業室を別途設け、雑菌の侵入の可能性の高い人工飼料の交換作業をそれぞれの飼育室で行わず、さらに外部との出入口をこの作業室にのみ設け、その出入口にはパスボックスを設けることによって、各飼育室への雑菌侵入を防止できる。
また本発明は、上記同様に各飼育室への雑菌侵入を防止できる。また、各飼育室の広さを変えることによって、蚕の発育段階に応じ必要な広さの飼育室を利用でき、蚕の飼育に必要のない空間を減らすことができるため、雑菌防止のための消毒や除菌などが確実に行える。
また本発明は、最も狭い１〜３齢用飼育室を基準として、４齢用飼育室及び５齢用飼育室の広さを決定することができる。そして、蚕の発育手段に応じて、必要な広さの飼育室を利用でき、蚕の飼育に必要のない空間を減らすことができるため、雑菌防止のための消毒や除菌などが確実に行える。
また本発明は、最も広い５齢用飼育室を基準として、１〜３齢用飼育室及び４齢用飼育室の広さを決定することができる。そして蚕の発育段階に応じて、必要な広さの飼育室を利用でき、蚕の飼育に必要のない空間を減らすことができるため、雑菌防止のための消毒や除菌などが確実に行える。
また本発明は、毎日の連続した掃き立てが可能になり、蚕の年間を通じた連続飼育ができる。特に各飼育室を独立した室に分割しているので、分割された各室ごとの消毒が行え、また除菌も確実に行える。そして万一雑菌が発生しても、他の室へ広がることもなく、除菌を行える。
【図面の簡単な説明】
【図１】本発明の実施例に用いる飼育トレイの上面図
【図２】同断面図
【図３】同飼育トレイ及び上蔟装置を示す分解斜視図
【図４】本発明の実施例による飼育状態を示す斜視図
【図５】本発明の実施例に用いる人工飼料交換装置を上面から見た構成図
【図６】同装置を正面から見た構成図
【図７】本発明の実施例による蚕の生産設備を示す構成図
【符号の説明】
１  飼育トレイ
３  人工飼料
４  飼育ネット
７  スペーサ
２０  １〜３齢用飼育室
２１  ４齢用飼育室
２２  ５齢用飼育室
２３  上蔟室
２４  無菌作業室
【図１】
0003657326.tif 000002
【図２】
0003657326.tif 000003
【図３】
0003657326.tif 000004
【図４】
0003657326.tif 000005
【図５】
0003657326.tif 000006
【図６】
0003657326.tif 000007
【図７】
0003657326.tif 000008